(57)【要約】【課題】  電池とファントム電源のいずれでも動作する２ウェイ方式のコンデンサマイクロホンにおいて、電池収納部に設けられる電池カバーを確実に接地して外来電磁波に起因する雑音発生を防止する。【解決手段】  コンデンサマイクユニットを有するマイク筐体１０と、一端がマイク筐体１０に支持され他端に出力コネクタ４０を備える電池収納部２０と、電池収納部２０に対して移動可能に被せられる円筒状の電池カバー５０とを含み、出力コネクタ４０にプラグ６０が着脱自在に接続されるコンデンサマイクロホンにおいて、出力コネクタ４０側に、同出力コネクタ４０にプラグ６０が接続される際、プラグ６０の接地スリーブ６１に弾性的に接触するとともに、接地スリーブ６１にて電池カバー５０の内面に押し付けられる板バネからなる導通片８０を設ける。【選択図】  図１
2006033463.tif 000002
【特許請求の範囲】
【請求項１】
コンデンサマイクユニットを有するマイク筐体と、一端が上記マイク筐体に支持され他端に出力コネクタを備える電池収納部と、上記電池収納部に対して移動可能に被せられ閉じられた位置において上記マイク筐体と電気的・機械的に接続される導電材からなる円筒状の電池カバーとを含み、上記出力コネクタにマイクケーブル側の接地スリーブを有するプラグが着脱自在に接続されるコンデンサマイクロホンにおいて、
上記出力コネクタ側には、同出力コネクタに上記プラグが接続される際、上記接地スリーブに弾性的に接触するとともに、上記接地スリーブにて上記電池カバーの内面に押し付けられる板バネからなる導通片が設けられていることを特徴とするコンデンサマイクロホン。
【請求項２】
上記電池収納部の他端側には上記出力コネクタが収納される円筒状のコネクタカバーが設けられており、上記導通片は上記コネクタカバーの軸方向に沿って形成された切欠き部内に片持的に支持されている請求項１に記載のコンデンサマイクロホン。
【請求項３】
上記導通片は、その自由端側にほぼＵ字状に形成された接触子を備えている請求項２に記載のコンデンサマイクロホン。
【発明の詳細な説明】
【技術分野】
【０００１】
本発明はコンデンサマイクロホンに関し、さらに詳しく言えば、電池とファントム電源のいずれでも動作する２ウェイ方式のコンデンサマイクロホンにおけるシールド構造に関するものである。
【背景技術】
【０００２】
コンデンサマイクロホンはマイクユニットのインピーダンスがきわめて高いことからインピーダンス変換器を内蔵している。通常、そのインピーダンス変換器にはＦＥＴ（電界効果トランジスタ）が用いられるが、一部の例えばマニア用向けには希に真空管が用いられることもある。
【０００３】
いずれの場合にも、コンデンサマイクロホンの音声信号は平衡シールドケーブルを介して出力されるが、平衡シールドケーブルとの接続には、特許文献１に記載されているようにＥＩＡＪ  ＲＣ−５２３６「音響機器用ラッチロック式丸型コネクタ」に規定されている３ピンタイプの出力コネクタが用いられる。
【０００４】
この３ピン出力コネクタにおいて、一般的に１番ピンは接地，２番ピンは信号のホット側，３番ピンは信号のコールド側として使用される。なお、市販されているものとしてはキャノンＸＬＲＭタイプのものが上記３ピン出力コネクタに該当する。
【０００５】
通常、コンデンサマイクロホンは上記平衡シールドケーブルを介してファントム電源に接続して使用されるが、特に屋外で使用される機会の多い例えば超指向性のガンタイプのコンデンサマイクロホンには、ファントム電源とは別に単三などの電池で動作するものもある。
【０００６】
このファントム電源と電池のいずれでも動作する２ウェイ方式のコンデンサマイクロホンでは、シールドケース内に電池収納部（バッテリホルダ）を備えていることから、そのシールドケースの一部に軸方向にスライド可能な円筒状の電池カバーが含まれる。
【０００７】
ところで、強い電磁波がマイクロホンや出力ケーブル（上記平衡シールドケーブル）に加えられると、その電磁波が出力ケーブルを伝わって出力コネクタからマイクロホンの内部に入り込み、上記インピーダンス変換器で復調されて可聴周波数の雑音としてマイクロホンから出力されることがある。
【０００８】
シールドが完全であれば電磁波の侵入が防がれるが、出力コネクタでの電気的接続は機械的な接触によるものであるため高周波ではインピーダンスを持ちやすく、その結果出力コネクタからの電磁波の侵入が問題となる。
【０００９】
また、電池を内蔵するコンデンサマイクロホンにおいては、出力コネクタは電池収納部の後端側で支持され、電池収納部には出力コネクタを含めて円筒状の電池カバーが設けられる。しかしながら、電池交換時に電池カバーを軸方向にスライド可能とする必要があるため出力コネクタ側を完全に接地することが困難であり、これが原因で電磁波がマイクロホン内に侵入し雑音が発生してしまうことがある。
【００１０】
特に、近年急速に普及している携帯電話機からはかなり強い電磁波（例えば、数ｃｍ〜数１０ｃｍ程度の範囲内では商用電波により市中で生じている電界強度の数万倍に達する電界強度）が発生されるため、マイクロホンの分野では携帯電話機による電磁波対策が急務とされている。
【００１１】
【特許文献１】特開平１１−３４１５８３号公報
【発明の開示】
【発明が解決しようとする課題】
【００１２】
したがって、本発明の課題は、電池とファントム電源のいずれでも動作する２ウェイ方式のコンデンサマイクロホンにおいて、電池収納部に設けられる電池カバーを確実に接地して外来電磁波に起因する雑音発生を防止することにある。
【課題を解決するための手段】
【００１３】
上記課題を解決するため、本発明は、コンデンサマイクユニットを有するマイク筐体と、一端が上記マイク筐体に支持され他端に出力コネクタを備える電池収納部と、上記電池収納部に対して移動可能に被せられ閉じられた位置において上記マイク筐体と電気的・機械的に接続される導電材からなる円筒状の電池カバーとを含み、上記出力コネクタにマイクケーブル側の接地スリーブを有するプラグが着脱自在に接続されるコンデンサマイクロホンにおいて、上記出力コネクタ側には、同出力コネクタに上記プラグが接続される際、上記接地スリーブに弾性的に接触するとともに、上記接地スリーブにて上記電池カバーの内面に押し付けられる板バネからなる導通片が設けられていることを特徴としている。
【００１４】
本発明において、上記電池収納部の他端側には上記出力コネクタが収納される円筒状のコネクタカバーが設けられており、上記導通片は上記コネクタカバーの軸方向に沿って形成された切欠き部内に片持的に支持されていることが好ましく、この場合において、上記導通片は、その自由端側にほぼＵ字状に形成された接触子を備えていることがさらに好ましい。
【発明の効果】
【００１５】
本発明によれば、マイクケーブル側のプラグを出力コネクタに接続するに伴って、プラグの接地スリーブが板バネからなる導通片に接触するとともに、その導通片が電池カバーの内面に押し付けられるため、電池カバーがプラグの接地スリーブを介して確実に接地状態とされる。したがって、電池カバーが接地電位となるためマイクロホン全体として見た場合、マイク筐体を含めてシールドがほぼ完全なものとなり、マイクロホン内への電磁波の侵入が阻止され、電磁波による雑音の発生が大幅に低減される。
【発明を実施するための最良の形態】
【００１６】
次に、図１ないし図４により本発明の実施形態について説明するが、本発明はこれに限定されるものではない。図１は本発明によるコンデンサマイクロホンの要部である電池収納部の断面図で、図２はその分解図である。また、図３はプラグを外した状態での上記電池収納部の断面図，図４は電池カバーを開けた状態での上記電池収納部の断面図である。
【００１７】
まず、図１および図２を参照して、ここで説明するコンデンサマイクロホンは、細長い円筒状のマイク筐体１０内にコンデンサマイクユニットを収納してなる狭指向性のガンマイクロホンであり、図にはその細長い円筒状のマイク筐体１０の後端部分のみが示されており、したがってコンデンサマイクユニットも図示が省略されている。
【００１８】
電磁波に対するシールド性を持たせるため、マイク筐体１０はアルミニウムや黄銅合金などの導電材よりなる。本発明は、例えばタイピン型マイクロホンのように、コンデンサマイクユニットと、シールドケース内に音声出力回路基板を含む出力モジュール部（パワーモジュール部）とがマイクコードで接続されているコンデンサマイクロホンにも適用可能で、その場合には出力モジュール部のシールドケースがマイク筐体１０に相当することになる。
【００１９】
マイク筐体１０の後端には、導電材よりなるカプラーリング１１を介して電池収納部（バッテリーホルダ）２０の一端側（先端側）２０ａがネジ止めにて固定される。カプラーリング１１は、その外周面の後端側に雄ネジ１１ａを備えている。電池収納部２０は例えば単三型電池１本が収納される船底状の電池装着凹部２１を備え、全体が合成樹脂で形成されてよい。図示しないが、電池装着凹部２１の両端にはプラス側とマイナス側の電極端子が設けられるとともに、それに付随して必要な配線が施される。
【００２０】
電池収納部２０の他端側（後端側）２０ｂには、導電材からなる円筒状のコネクタカバー３０がネジ止めされ、コネクタカバー３０内に出力コネクタ４０が収納されネジ止めにより固定される。コネクタカバー３０の内面の後端部には係合溝３１が形成されている。
【００２１】
出力コネクタ４０には、ＥＩＡＪ  ＲＣ−５２３６「音響機器用ラッチロック式丸型コネクタ」に規定されている３ピンタイプの出力コネクタが用いられ、その１番ピン（接地ピン）は図示しない導通ネジを介してコネクタカバー３０と電気的に接続される。
【００２２】
電池収納部２０には電池カバー５０が被せられる。電池カバー５０はマイク筐体１０とほぼ同径の円筒体よりなり、その内面の一端側（先端側）には上記カプラーリング１１の雄ネジ１１ａと螺合する雌ネジ５１が形成されている。
【００２３】
すなわち、電池カバー５０はそれ自体を例えば時計方向に回すことによりカプラーリング１１に連結され、反時計方向に回して螺合を解くことによりフリーとなって軸方向に移動可能となり電池収納部２０を開けることができる。
【００２４】
電池カバー５０はマイク筐体１０と同じくアルミニウムや黄銅合金などの導電材よりなり、カプラーリング１１に螺合した閉位置においてはマイク筐体１０と一体となってマイクロホンのシールドケースの一部に含まれる。この例において、電池カバー５０は電池収納部２０およびコネクタカバー３０を覆う長さを備えている。
【００２５】
図３を併せて参照して、出力コネクタ４０には平衡シールドケーブル７０に設けられているプラグ６０が着脱自在に連結される。プラグ６０はコネクタカバー３０内に差し込まれる部分に接地スリーブ６１を備えている。接地スリーブ６１は平衡シールドケーブル７０内の図示しないシールド被覆線と接続されている。
【００２６】
また、接地スリーブ６１の一部分にはノブ６２によって出没するロック爪６２ａが設けられており、ロック爪６２ａは接地スリーブ６１をコネクタカバー３０内に差し込んだときにコネクタカバー３０の上記係合溝３１に係合する。その係合はノブ６２を押すことにより解除される。
【００２７】
本発明においては、プラグ６０を出力コネクタ４０に接続するため、接地スリーブ６１をコネクタカバー３０内に差し込んだときに、接地スリーブ６１と電池カバー５０との確実な電気的接続状態が得られるようにするための例えばリン青銅などの板バネ材からなる導通片８０を備えている。
【００２８】
図２に示すように、この例ではコネクタカバー３０の一部分に軸方向に沿って切欠き部３２を形成して、この切欠き部３２内に導通片８０を片持的に、すなわち一端側をネジなどにより固定し他端側を自由な状態として取り付けている。
【００２９】
また、この例では接地スリーブ６１をコネクタカバー３０内に差し込んだときにのみ導通片８０を介して接地スリーブ６１とコネクタカバー３０とが電気的に接続し、プラグ６０を外した状態では電池カバー５０を支障なく回せるようにするため、導通片８０の自由端側にほぼＵ字状（Ｖ字状であってもよい）の接触子８１を形成するようにしている。
【００３０】
この例においては、図２に示すように接触子８１を逆Ｕ字状としてプラグ６０が接続されていないときには、その逆Ｕ字状の頂部側がコネクタカバー３０内に突出する待機位置となるようにしているが、これとは反対に接触子８１をＵ字状としてもよい。
【００３１】
このコンデンサマイクロホンを使用する場合、その電源を電池収納部２０内の電池に求めるか、もしくは外部電源としてのファントム電源に求めるかのいずれにしても出力コネクタ４０にプラグ６０が接続される。
【００３２】
本発明によれば、この接続に伴って接触子８１が接地スリーブ６１に弾性的に接触するとともに、接地スリーブ６１にて接触子８１が電池カバー５０の内面に押し付けられるため、電池カバー５０が接地スリーブ６１を介して確実に接地されることになり、マイクロホン全体としてのシールドがほぼ完全なものとなる。
【００３３】
したがって、例えば強力な電磁波を発生する例えば携帯電話機が近くで使用されたとしても、その電磁波がマイクロホン内部にまでは入り込まないため、電磁波による雑音はほとんど発生しない。
【００３４】
図１の使用状態において、電池交換のため電池収納部２０を開けるには、それに先だって図３に示すように出力コネクタ４０からプラグ６０を外したうえで、電池カバー５０をこの例では反時計方向に回してカプラーリング１１との螺合を解いて、図４に示すように電池カバー５０を図において右方向に移動させて電池収納部２０を開放する。
【００３５】
このように、電池交換の際にはプラグ６０が外されるため、電池交換の着脱による雑音が発生されることもない。なお、電池を入れた状態でファントム電源を入れるとファントム電源が優先されるように回路が組まれている。また、電池で動作させる場合、平衡シールドケーブル７０はファントム電源を持たないミキサーなどに接続される。
【図面の簡単な説明】
【００３６】
【図１】本発明によるコンデンサマイクロホンの電池収納部を示す断面図。
【図２】上記電池収納部の分解図。
【図３】プラグを外した状態での上記電池収納部の断面図。
【図４】電池カバーを開けた状態での上記電池収納部の断面図。
【符号の説明】
【００３７】
１０  マイク筐体
１１  カプラーリング
２０  電池収納部
３０  コネクタカバー
４０  出力コネクタ
５０  電池カバー
６０  プラグ
６１  接地スリーブ
７０  平衡シールドケーブル
８０  導通片
８１  接触子
【図１】
2006033463.tif 000003
【図２】
2006033463.tif 000004
【図３】
2006033463.tif 000005
【図４】
2006033463.tif 000006